(57)【要約】【課題】電子装置の多機能提供方法及び装置を提供すること、及びボタンの押しまたはタッチイベントに多数の機能を指定して電子装置の変形の有無及び変形情報によって前記ボタンの押しまたはタッチイベントの発生に対して実行する機能を選択する電子装置の多機能提供方法及び装置を提供すること。【解決手段】該当のボタンまたはタッチイベントに多数の機能を指定する段階と、前記電子装置の変形の有無を識別する段階と、前記電子装置の変形があり、前記ボタンの押しまたはタッチイベントが発生する場合、第１機能を実行する段階と、前記電子装置の変形がなく、前記ボタンの押しまたはタッチイベントが発生する場合、第２機能を実行する段階と、を含むことを特徴とする。【選択図】図１
2013225841.tif 000002
【特許請求の範囲】
【請求項１】
電子装置の多機能提供方法において、
該当のボタンの押しまたはタッチイベントに多数の機能を指定する段階と、
前記電子装置の変形の有無を識別する段階と、
前記電子装置の変形があり、前記ボタンの押しまたはタッチイベントが発生する場合、第１機能を実行する段階と、
前記電子装置の変形がなく、前記ボタンの押しまたはタッチイベントが発生する場合、第２機能を実行する段階と、を含むことを特徴とする電子装置の多機能提供方法。
【請求項２】
前記電子装置の変形があり、前記ボタンの押しまたはタッチイベントが発生する場合、第１機能を実行する段階は、
前記電子装置の変形の程度を判断して、判断した変形の程度に該当する前記第１機能を選択して、選択した前記第１機能を実行することを特徴とする請求項１に記載の電子装置の多機能提供方法。
【請求項３】
前記電子装置の変形の有無を識別する段階は、
前記電子装置の延びること、縮むこと、撓むこと、折れること、ねじること、曲げること及び伸びることの中でどれか一つの変形を感知することを特徴とする請求項１又は２に記載の電子装置の多機能提供方法。
【請求項４】
前記電子装置の変形の有無を識別する段階は、
フレキシブルディスプレーの変形を識別することを特徴とする請求項１から３のいずれか１項に記載の電子装置の多機能提供方法。
【請求項５】
前記電子装置の変形の有無を識別する段階は、
タッチスクリーンの変形を識別することを特徴とする請求項１から４のいずれか１項に記載の電子装置の多機能提供方法。
【請求項６】
前記第１機能はビデオ関連機能であり、前記第２機能はオーディオ関連機能であることを特徴とする請求項１から５のいずれか１項に記載の電子装置の多機能提供方法。
【請求項７】
前記第１機能はオーディオ関連機能であり、前記第２機能はビデオ関連機能であることを特徴とする請求項１から５のいずれか１項に記載の電子装置の多機能提供方法。
【請求項８】
前記第１機能と前記第２機能のいずれかは、
アプリケーションショートカット（Ｓｈｏｒｔｃｕｔ）、ウィジェット（Ｗｉｄｇｅｔ）及びお知らせ・ステータスバーを構成する初期のユーザーインターフェース画面への転換機能であることを特徴とする請求項１から５のいずれか１項に記載の電子装置の多機能提供方法。
【請求項９】
電子装置の多機能提供装置において、
少なくとも一つ以上のプロセッサと、
メモリーと、
前記電子装置の変形情報を少なくとも一つ以上の前記プロセッサに提供するセンサーと、
前記メモリーに保存されて、少なくとも一つ以上の前記プロセッサによって実行することができるように構成される少なくとも一つ以上のモジュールを含むが、
前記モジュールは、
該当の前記ボタンまたは前記ボタンの押しまたはタッチイベントに多数の機能を指定して、前記変形情報から前記電子装置の変形の有無を識別し、前記電子装置の変形があり、前記ボタンの押しまたはタッチイベントが発生する場合、第１機能を実行し、前記電子装置の変形がなく、前記ボタンの押しまたはタッチイベントが発生する場合、第２機能を実行することを特徴とする電子装置の多機能提供装置。
【請求項１０】
前記モジュールは、前記電子装置の変形があり、前記ボタンの押しまたはタッチイベントが発生する場合、前記第１機能を実行するのに、前記電子装置の変形の程度を判断して、判断した変形の程度に該当する前記第１機能を選択して、選択した前記第１機能を実行することを特徴とする請求項９に記載の電子装置の多機能提供装置。
【請求項１１】
前記モジュールは、前記変形情報から前記電子装置の変形の有無を識別する場合、前記電子装置の延びること、縮むこと、撓むこと、折れること、ねじること、曲げること及び伸びることの中でどれか一つの変形を識別することを特徴とする請求項９又は１０に記載の電子装置の多機能提供装置。
【請求項１２】
変形可能なフレキシブルディスプレーを含み、
前記モジュールは、
前記変形情報から前記電子装置の変形の有無を識別する場合、前記フレキシブルディスプレーの変形を識別することを特徴とする請求項９から１１のいずれか１項に記載の電子装置の多機能提供装置。
【請求項１３】
変形可能なタッチスクリーンを含み、
前記モジュールは、
前記変形情報から前記電子装置の変形の有無を識別する場合、前記タッチスクリーンの変形を識別することを特徴とする請求項９から１２のいずれか１項に記載の電子装置の多機能提供装置。
【請求項１４】
前記第１機能はビデオ関連機能であり、前記第２機能はオーディオ関連機能であることを特徴とする請求項９から１３のいずれか１項に記載の電子装置の多機能提供装置。
【請求項１５】
前記第１機能はオーディオ関連機能であり、前記第２機能はビデオ関連機能であることを特徴とする請求項９から１３のいずれか１項に記載の電子装置の多機能提供装置。
【請求項１６】
前記第１機能と前記第２機能のいずれかは、
アプリケーションショートカット、ウィジェット及びお知らせ・ステータスバーを構成する初期のユーザーインターフェース画面への転換機能であることを特徴とする請求項９から１３のいずれか１項に記載の電子装置の多機能提供装置。
【発明の詳細な説明】
【技術分野】
【０００１】
本発明は電子装置の多機能提供方法及び装置に関する。
【背景技術】
【０００２】
電子通信産業の発達によって、移動通信端末（セルラーホン）、電子手帳、個人複合端末などの電子装置は現代社会の必需品となっていく中で、早く変化する情報伝達の重要な手段になっている。
【０００３】
さらに、最近の前記電子装置にフレキシブルディスプレーを適用しようとする傾向がある。前記フレキシブルディスプレーは折るとか曲げることができるため、従来のディスプレーでは実現困難だった分野を開拓することが期待されている。
【０００４】
前記電子装置に設けられたボタンが押される場合、前記電子装置は前記ボタンに既に付与された機能を起動する。一般的に、前記ボタンに既に付与された機能は前記フレキシブルディスプレーを適用する電子装置（以下、フレキシブルディスプレー電子装置と称する）の変形を生かして付与されていない。結局、ユーザーは前記フレキシブルディスプレー電子装置の変形に対する期待を持っているが、前記フレキシブルディスプレー電子装置が変形された状態で前記ボタンに付与された機能を満足することができない。したがって、前記フレキシブルディスプレー電子装置の変形を考慮した前記ボタンに対する新しい模索が必要である。
【先行技術文献】
【特許文献】
【０００５】
【特許文献１】韓国公開特許第１０−２０１０−００７９１００号公報
【発明の概要】
【発明が解決しようとする課題】
【０００６】
本発明の目的は、ボタンまたはタッチイベントに多数の機能を付与する電子装置の多機能提供方法及び装置を提供することにある。
【０００７】
本発明の他の目的は、電子装置の変形、例えば、延びること、縮むこと、撓むこと、折れること、ねじること、曲げることなどによってボタンの押し及びタッチイベントの発生に対して実行する機能を異にする電子装置の多機能提供方法及び装置を提供することにある。
【０００８】
本発明のまた他の目的は、ボタンまたはタッチイベントに多数の機能を指定して電子装置の変形の有無及び変形情報（例：変形類型と変形の程度）によって前記ボタンの押しまたはタッチイベントの発生に対して実行する機能を選択する電子装置の多機能提供方法及び装置を提供することにある。
【課題を解決するための手段】
【０００９】
前記の課題を解決するための第１態様として、本発明は該当のボタンまたはタッチイベントに多数の機能を指定する段階と、前記電子装置の変形の有無を識別する段階と、前記電子装置の変形があり、前記ボタンの押しまたはタッチイベントが発生する場合、第１機能を実行する段階と、前記電子装置の変形がなく、前記ボタンの押しまたはタッチイベントが発生する場合、第２機能を実行する段階と、を含むことを特徴とする電子装置の多機能提供方法を提供する。
【００１０】
前記の課題を解決するための第２態様として、本発明は少なくとも一つ以上のプロセッサと、メモリーと、前記電子装置の変形情報を前記の少なくとも一つ以上のプロセッサに提供するセンサー及び前記メモリーに保存されて、前記の少なくとも一つ以上のプロセッサによって実行可能になるように構成される少なくとも一つ以上のモジュールを含むが、前記モジュールは該当のボタンまたはタッチイベントに多数の機能を指定して、前記変形情報から前記電子装置の変形の有無を識別して、前記電子装置の変形があり、前記ボタンの押しまたはタッチイベントが発生する場合、第１機能を実行して、前記電子装置の変形がなく、前記ボタンの押しまたはタッチイベントが発生する場合、第２機能を実行することを特徴とする電子装置の多機能提供装置を提供する。
【図面の簡単な説明】
【００１１】
【図１】本発明の一実施形態による電子装置のブロック構成図である。
【図２】本発明の一実施形態による電子装置の多機能提供手続きの流れ図である。
【図３】本発明の一実施形態によって電子装置の変形があり、ボタンの押しまたはタッチイベントが発生する場合、該当の機能を適用する図２の２０５段階の流れ図である。
【図４Ａ】本発明の一実施形態によって多機能を提供する電子装置のユーザーインターフェース動作を示す。
【図４Ｂ】本発明の一実施形態によって多機能を提供する電子装置のユーザーインターフェース動作を示す。
【図４Ｃ】本発明の一実施形態によって多機能を提供する電子装置のユーザーインターフェース動作を示す。
【図５Ａ】本発明の一実施形態によって多機能を提供する電子装置のユーザーインターフェース動作を示す図面である。
【図５Ｂ】本発明の一実施形態によって多機能を提供する電子装置のユーザーインターフェース動作を示す図面である。
【図６Ａ】本発明の一実施形態によって多機能を提供する電子装置のユーザーインターフェース動作を示す図面である。
【図６Ｂ】本発明の一実施形態によって多機能を提供する電子装置のユーザーインターフェース動作を示す図面である。
【発明を実施するための形態】
【００１２】
以下、添付された図面を参照して本発明の動作原理を詳しく説明する。下記で本発明を説明することにおいて、本願に関する公知の機能または公知の構成に対する具体的な説明が本発明の要旨を不必要に不明確にすると判断される場合にはその詳細な説明を略する。そして、後述する用語は本発明での機能を考慮して定義された用語として、ユーザー、オペレータに認識される。したがって、その定義は本明細書の全般にわたっている内容によってサポートされている。
【００１３】
本発明の一実施形態による電子装置は変形可能であり、例えば、延びること、縮むこと、撓むこと、折れること、ねじること、曲げること及び伸びることなどの変形が可能である。前記電子装置はこのような変形に相応するフレキシブルディスプレーを提供して、前記フレキシブルディスプレーにタッチ認識技術を提供することができる。特に、本発明の一実施形態はボタンまたはタッチイベントに多数の機能を付与して、前記電子装置の変形の有無、変形類型及び変形の程度によって前記ボタン及びタッチイベントに適用する機能を選択する。
【００１４】
図１は本発明の一実施形態による電子装置のブロック構成図である。このような電子装置１００は、ポータブル電子装置であってもよいし、ポータブル端末、移動電話、タブレット端末、メディアプレーヤー、タブレットコンピューター、ハンドヘルドコンピューターまたはＰＤＡ（Ｐｅｒｓｏｎａｌ  Ｄｉｇｉｔａｌ  Ａｓｓｉｓｔａｎｔ）のような装置であってもよい。また、このような装置の中で二つの以上の機能を結合した装置を含む任意の電子装置であってもよい。
【００１５】
前記電子装置１００はメモリー１１０、プロセッサユニット（Ｐｒｏｃｅｓｓｏｒ  Ｕｎｉｔ）１２０、第１無線通信サブシステム１３０、第２無線通信サブシステム１３１、外部ポート１６０、オーディオサブシステム１５０、スピーカー１５１、マイクロホン１５２、 入出力（ＩＯ、Ｉｎｐｕｔ  Ｏｕｔｐｕｔ）サブシステム１７０、フレキシブルディスプレー１８０及びその他の入力または制御装置１９０を含む。前記メモリー１１０と外部ポート１６０は複数個構成されることができる。
【００１６】
前記プロセッサユニット１２０はメモリーインターフェース１２１、一つ以上のプロセッサ１２２及び周辺装置インターフェース（Ｐｅｒｉｐｈｅｒａｌ  Ｉｎｔｅｒｆａｃｅ）１２３を含む。前記プロセッサユニット１２０全体を指してプロセッサと呼ぶこともある。前記メモリーインターフェース１２１、一つ以上のプロセッサ１２２及び/または周辺装置インターフェース１２３は別個の構成要素または一つ以上の集積化された回路に構成されることができる。
【００１７】
前記プロセッサ１２２は様々なソフトウェアプログラムを実行して前記電子装置１００のための多くの機能を遂行して、音声通信、映像通信及びデータ通信のための処理及び制御を遂行する。また、このような通常的な機能に加えて、前記プロセッサ１２２は前記メモリー１１０に保存されているソフトウェアモジュール（命令語セット）を実行してそのモジュールに対応する多くの機能を遂行する。また、このような通常的な機能に加えて、前記プロセッサ１２２はメモリー１１０に保存されている特定のソフトウェアモジュール（命令語セット）を実行してそのモジュールに対応する特定の様々な機能を遂行する役目もする。すなわち、プロセッサ１２２は前記メモリー１１０に保存されたソフトウェアモジュールと連動して本発明の実施形態の方法を遂行する。
【００１８】
前記プロセッサ１２２は一つ以上のデータプロセッサ、イメージプロセッサ、またはコーデック（ＣＯＤＥＣ、Ｃｏｄｅｒ  Ｄｅｃｏｄｅｒ）を含むことができる。前記電子装置１００は前記データプロセッサ、イメージプロセッサまたはコーデックを別に構成することもできる。前記周辺装置インターフェース１２３は前記電子装置１００の入出力サブシステム１７０及び多くの周辺装置を前記プロセッサ１２２に接続させる。さらに、前記周辺装置インターフェース１２３は前記電子装置１００の入出力サブシステム１７０及び多くの周辺装置を前記メモリーインターフェース１２１を通じて前記メモリー１１０に接続させる。
【００１９】
前記電子装置１００の多様な構成要素は一つ以上の通信バスまたはストリームラインを通じて接続することができる。
【００２０】
前記外部ポート１６０は前記電子装置１００を他の電子装置に直接接続するとか、ネットワーク（例えば、インターネット、イントラネット、無線ＬＡＮなど）を通じて他の電子装置に間接的に接続する。例えば、前記外部ポート１６０はＵＳＢ（Ｕｎｉｖｅｒｓａｌ  Ｓｅｒｉａｌ  Ｂｕｓ）ポートまたは ＦＩＲＥＷＩＲＥポートなどを指し、これらに限定されない。
【００２１】
動きセンサー１９１、光センサー１９２及び外形変形感知センサー１９３は周辺装置インターフェース１２３に接続されて、様々な機能ができるようにする。例えば、前記動きセンサー１９１及び光センサー１９２は前記周辺装置インターフェース１２３に接続されて、前記電子装置１００の動きを感知するとか外部の光を感知することができる。
【００２２】
特に、前記外形変形感知センサー１９３は前記電子装置１００の変形、例えば、延びること、縮むこと、撓むこと、折れること、ねじること、曲げること及び伸びることの中でどの一つの変形でも感知することができる。このような変形は前記フレキシブルディスプレー１８０の変形に対応する。例えば、前記外形変形感知センサー１９３は前記フレキシブルディスプレー１８０の画面の変形、例えば、延びること、縮むこと、撓むこと、折れること、ねじること、曲げること及び伸びることの中でどの一つの変形を感知することができる。さらに、前記外形変形感知センサー１９３は前記撓むこと、折れること、ねじること、曲げること及び伸びることなどの変形の程度を測定することができる。例えば、前記フレキシブルディスプレー１８０の画面が丸く曲がる場合、前記外形変形感知センサー１９３は画面の各座標に対する接線の傾きを算出することができる。前記プロセッサ１２２は各座標の接線の傾きによって前記フレキシブルディスプレー制御器１７１を制御して、前記フレキシブルディスプレー制御器１７１は前記フレキシブルディスプレー１８０の映像出力を制御する。この以外にも、位置センサー、温度センサー及び生体センサーなどの他のセンサーが周辺装置インターフェース１２３に接続され、関連機能を遂行することができる。
【００２３】
前記カメラサブシステム１９４は写真及びビデオクリップレコーディングなどのカメラ機能を遂行することができる。前記光センサー１９２は前記カメラサブシステム１９４のためのＣＣＤ（Ｃｈａｒｇｅ  Ｃｏｕｐｌｅｄ  Ｄｅｖｉｃｅ）デバイスまたはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）デバイスであってもよい。
【００２４】
前記第１及び第２無線通信サブシステム１３０、１３１は通信ができるようにする。前記第１及び第２無線通信サブシステム１３０、１３１は無線周波数受信機及び送受信機及び/または光（例えば、赤外線）受信機及び送受信機を含むことができる。前記第１通信サブシステム１３０と第２通信サブシステム１３１は通信ネットワークによって区分することができる。例えば、前記第１通信サブシステム１３０と第２通信サブシステム１３１はＧＳＭ（登録商標）（Ｇｌｏｂａｌ  Ｓｙｓｔｅｍ ｆｏｒ  Ｍｏｂｉｌｅ  ｃｏｍｍｕｎｉｃａｔｉｏｎ）ネットワーク、ＥＤＧＥ（Ｅｎｈａｎｃｅｄ  Ｄａｔａ  ＧＳＭ（登録商標）  Ｅｎｖｉｒｏｎｍｅｎｔ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワーク、ＬＴＥ（Ｌｏｎｇ  Ｔｅｒｍ  Ｅｖｏｌｕｔｉｏｎ）ネットワーク、ＯＦＤＭＡ（Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）ネットワーク、Ｗｉ−Ｆｉ（Ｗｉｒｅｌｅｓｓ  Ｆｉｄｅｌｉｔｙ）ネットワーク、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワークまたは/及びブルートゥース（Ｂｌｕｅｔｏｏｔｈ（登録商標））ネットワークの中の一つを通じて動作するように設計されることができる。
【００２５】
前記オーディオサブシステム１５０はスピーカー１５１及びマイクロホン１５２に接続されて、音声認識、音声再生、デジタルレコーディング及び通話機能などのオーディオの入力と出力を行う。すなわち、前記オーディオサブシステム１５０は前記スピーカー１５１及びマイクロホン１５２を通じてユーザーとコミュニケーションを行う。前記オーディオサブシステム１５０は前記プロセッサユニット１２０の周辺装置インターフェース１２３を通じてデータ信号を受信して、受信したデータ信号を電気信号に変換して、変換した電気信号をスピーカー１５１に提供する。前記スピーカー１５１は電気信号を人が聞くことができる音波に変換して出力する。前記マイクロホン１５２は人やその他の音源から伝達された音波を電気信号に変換する。前記オーディオサブシステム１５０は前記マイクロホン１５２から電気信号を受信して、受信した電気信号をオーディオデータ信号に変換し、変換したオーディオデータ信号を前記周辺インターフェース１２３に送信する。前記オーディオサブシステム１５０は着脱可能なイヤホン、ヘッドホンまたはヘッドセットを含むことができる。
【００２６】
前記入出力サブシステム１７０はフレキシブルディスプレー制御器１７１及び/またはその他の入力制御器１７２を含む。前記フレキシブルディスプレー１８０は延びること、縮むこと、撓むこと、折れること、ねじること、曲げること及び伸びることの中で少なくとも一つ以上の変形を許容する。前記フレキシブルディスプレー制御器１７１は前記フレキシブルディスプレー１８０に接続されて、前記フレキシブルディスプレー１８０の変形による映像出力を制御する。前記フレキシブルディスプレー１８０とフレキシブルディスプレー制御器１７１は容量性、抵抗性、赤外線及び表面音響波技術だけではなく、その他の近接センサー配列またはその他の要素を含む任意のマルチタッチ感知技術を適用することができる。前記その他の入力制御器１７２は前記その他の入力/制御装置１９０に結合されることができる。前記その他の入力/制御装置１９０はボリューム制御のためのアップ/ダウンのボタンを構成することができる。また、前記その他の入力/制御装置１９０は該当の機能を提供するプッシュボタン、ロックボタン、ロックスイッチ、サムホイール、ダイヤル、ステッキ、及びスタイラスなどのポインター装置の中で少なくとも一つ以上を構成することができる。
【００２７】
前記フレキシブルディスプレー１８０は前記電子装置１００とユーザーの間の入力及び出力インターフェースを提供する。例えば、前記フレキシブルディスプレー１８０はタッチ感知技術を適用してユーザーのタッチ入力を前記電子装置１００に伝達して、前記電子装置１００から提供される視覚情報（例えば、テキスト、グラフィック、ビデオなど）をユーザーに表示する。
【００２８】
前記メモリー１１０はメモリーインターフェース１２１に接続され、一つ以上の磁気ディスク記憶装置のような高速ランダムアクセスメモリー及び/または非揮発性メモリー、一つ以上の光記憶装置及び/またはフラッシュメモリー（例えば、ＮＡＮＤ、ＮＯＲ）を含む。
【００２９】
前記メモリー１１０はソフトウェアを保存し、前記ソフトウェアはオペレーティング・システムモジュール１１１、通信モジュール１１２、グラフィックモジュール１１３、ユーザーインターフェースモジュール１１４及びＣＯＤＥＣモジュール１１５、カメラモジュール１１６、一つ以上のアプリケーションモジュール１１７などを含む。前記モジュールと言う用語は命令語の集合または命令語セットまたはプログラムで表現することもある。
【００３０】
前記オペレーティング・システムモジュール１１１はＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳ  Ｘ、またはＶｘＷｏｒｋｓのような内蔵オペレーティング・システムを示し、一般的なシステム動作（Ｓｙｓｔｅｍ  Ｏｐｅｒａｔｉｏｎ）を制御する様々なソフトウェア構成要素を含む。このような一般的なシステム動作の制御はメモリー管理及び制御、保存ハードウェア（装置）制御及び管理、電力制御及び管理などを含む。さらに、前記オペレーティング・システムモジュールは様々なハードウェア（装置）とソフトウェア構成要素（モジュール）の間の通信を円滑にする機能も遂行する。
【００３１】
前記通信モジュール１１２は、前記無線通信サブシステム１３０，１３１または前記外部ポート１６０を通じてコンピューター、サーバー及びポータブル端末などの相手の電子装置と通信が可能である。
【００３２】
前記グラフィックモジュール１１３は前記フレキシブルディスプレー１８０上にグラフィックを提供して表示するための様々なソフトウェア構成要素を含む。前記グラフィックと言う用語はテキスト、ウェブページ、アイコン、デジタルイメージ、ビデオ、アニメーションなどをいう。
【００３３】
前記ユーザーインターフェースモジュール１１４はユーザーインターフェースに関した様々なソフトウェア構成要素を含む。さらに、前記ユーザーインターフェースモジュール１１４はユーザーインターフェースの状態がどのように変更されるのか、ユーザーインターフェース状態の変更がどのような条件で行われるのかなどに対する内容を含む。
【００３４】
前記ＣＯＤＥＣモジュール１１５はビデオファイルのエンコーディング及びデコーディングに関したソフトウェア構成要素を含む。
【００３５】
前記カメラモジュール１１６はカメラ関連プロセス及び機能ができるようにするカメラ関連ソフトウェア構成要素を含む。
【００３６】
前記アプリケーションモジュール１１７はブラウザー（Ｂｒｏｗｓｅｒ）、電子メール、インスタントメッセージ、ワードプロセッシング、キーボードエミュレーション、アドレス帳、コンタクトリスト、ウィジェット、デジタル著作権管理（ＤＲＭ、Ｄｉｇｉｔａｌ  Ｒｉｇｈｔ  Ｍａｎａｇｅｍｅｎｔ）、音声認識、音声再生、位置決定機能、位置情報サービスなどを含む。前記メモリー１１０は前述したモジュール以外に追加的なモジュール（命令語セット）を含むことができる。
【００３７】
また、本発明による電子装置１００の多様な機能は一つ以上のストリームプロセッシング及び/またはアプリケーション特定集積回路（ＡＳＩＣ、Ａｐｐｌｉｃａｔｉｏｎ  Ｓｐｅｃｉｆｉｃ Ｉｎｔｅｇｒａｔｅｄ  Ｃｉｒｃｕｉｔ）を含むハードウェア及び/またはソフトウェア及び/またはこれらの結合で実行されることができる。
【００３８】
図２は本発明の一実施形態による電子装置の多機能提供手続きの流れ図である。前記外形変形感知センサー１９３は前記電子装置１００の変形情報を前記の少なくとも一つ以上のプロセッサ１２２に提供して、前記プロセッサ１２２は前記メモリー１１０に保存されている少なくとも一つ以上のモジュールを実行する。
【００３９】
図２を参照すると、前記プロセッサ１２２は該当のボタンまたはタッチイベントに多数の機能を指定する（２０１段階）。前記ボタンはタッチスクリーンに実装されるソフトウェアボタンや、または前記電子装置１００の外観を形成するハウジングに実装されるハードウェアボタンであることができる。前記タッチイベントはタッチ類型に区分することができる。例えば、シングルタップ、マルチタップ、ドラッグ及びフリッキングなどを含むことができる。前記プロセッサ１２２は前記ボタンまたはタッチイベントに多数の機能を付与することをユーザーに許容することもできる。
【００４０】
次に、前記プロセッサ１２２は前記電子装置の変形の有無を識別する（２０３段階）。前記外形変形感知センサー１９３は前記電子装置１００の変形情報を獲得し、獲得した変形情報を前記プロセッサ１２２に提供する。前記変形情報は延びること、縮むこと、撓むこと、折れること、ねじること、曲げること及び伸びることなどの変形類型と、このような変形の程度を含む。
【００４１】
前記電子装置の変形があり（２０３段階）、前記ボタンの押しまたはタッチイベントが発生する場合、前記プロセッサ１２２は第１機能を適用する（２０５段階）。
【００４２】
さらに、前記プロセッサ１２２は前記電子装置の変形がなく（２０３段階）、前記ボタンまたはタッチイベントが発生する場合、前記プロセッサ１２２は第２機能を適用する（２０７段階）。
【００４３】
結局、本発明の一実施形態は前記電子装置１００の変形、例えば、前記フレキシブルディスプレーの変形の有無によって特定ボタン及びボタンの押しまたはタッチイベントに適用する機能を異にする。例えば、前記第１機能はビデオ関連機能であり、前記第２機能はオーディオ関連機能になるとか、またはこれと反対に構成されることもできる。
【００４４】
図３は本発明の一実施形態によって電子装置の変形があり、ボタンの押しまたはタッチイベントが発生する場合、該当の機能を適用する図２の２０５段階の流れ図である。
【００４５】
図３を参照すると、前記プロセッサ１２２は前記電子装置の変形の程度を判断する（２１１段階）。前述したように、前記外形変形感知センサー１９３は前記電子装置の変形情報を前記プロセッサ１２２に提供する。例えば、前記変形の程度は延びる程度、縮む程度、撓む程度、折れる程度、ねじる程度、曲げる程度及び伸びる程度等を含むことができる。
【００４６】
次に、前記プロセッサ１２２は判断した前記変形の程度に該当する前記第１機能を選択する（２１３段階）。
【００４７】
その次に、前記プロセッサ１２２は選択した前記第１機能を実行する（２１５段階）。
結局、本発明の一実施形態は前記ボタンの押しまたはタッチイベントが発生する場合、前記電子装置１００の変形の程度によって多様な機能を実行する。
【００４８】
図４Ａ、図４Ｂ及び図４Ｃは本発明の一実施形態によって多機能を提供する電子装置のユーザーインターフェースの動作を示す。
【００４９】
図４Ａを参照すると、前記電子装置１００はホーム画面４１２（ＨｏｍｅＳｃｒｅｅｎ）を提供する。前記ホーム画面４１２はアプリケーションショートカット（Ｓｈｏｒｔｃｕｔ）（例：アイコン）、ウィジェット 、お知らせ・ステータスバー（Ｓｔａｔｕｓ  ｂａｒ）などを含む初期のユーザーインターフェース画面を示す。さらに、前記電子装置１００はタッチスクリーンにホームボタン４１と呼ばれるソフトウェアボタンを提供する。前記電子装置１００の変形がない場合、前記ホームボタン４１は前記ホーム画面４１２に復帰する機能の適用を受ける。例えば、ユーザーが前記ホームボタン４１を押す場合、前記電子装置１００は音楽再生アプリケーションのユーザーインターフェース画面４１１で前記ホーム画面４１２に切り替える。
【００５０】
図４Ｂを参照すると、前記電子装置１００の変形がある場合、変形された前記電子装置１００は前記ホームボタン４１にカメラ撮影機能を適用する。例えば、ユーザーが前記ホームボタン４１を押す場合、変形された前記電子装置１００は被写体を撮像する。
【００５１】
図４Ｃを参照すると、前記電子装置１００の変形がある場合、変形された前記電子装置１００は前記ホームボタン４１に画面を点滅する機能を適用して、前記画面を警告灯に実装する。
【００５２】
図５Ａ及び図５Ｂは本発明の一実施形態によって多機能を提供する電子装置のユーザーインターフェース動作を示す。
【００５３】
図５Ａを参照すると、前記電子装置１００はホーム画面５１２を提供するのに、前記ホーム画面５１２はアプリケーションショートカット（例：アイコン）、ウィジェット、お知らせ・ステータスバーなどを含む初期のユーザーインターフェース画面を示す。さらに、前記電子装置１００は外観を形成するハウジングに構成されるホームボタン５１と呼ばれるハードウェアボタンを提供する。前記電子装置１００の変形がない場合、前記ホームボタン５１は前記ホーム画面５１２に復帰する機能を適用する。例えば、ユーザーが前記ホームボタン５１を押す場合、前記電子装置１００は音楽再生アプリケーションのユーザーインターフェース画面５１１で前記ホーム画面５１２に切り替える。
【００５４】
図５Ｂを参照すると、前記電子装置１００の変形がある場合、前記電子装置１００は前記ホームボタン５１に前記電子装置１００の変形を維持する機能を適用する。例えば、前記電子装置１００はユーザーから外力を受けて変形しても、前記外力が消えれば元の形態に復帰する。さらに、前記電子装置１００は変形された形状を維持することができるソフトウェア的でハードウェア的な手段を構成することができるし、前記手段の動作可否は前記ホームボタン５１に付与することができる。
【００５５】
図６Ａ及び図６Ｂは本発明の一実施形態によって多機能を提供する電子装置のユーザーインターフェース動作を示す。
【００５６】
図６Ａを参照すると、前記電子装置１００に変形がない場合、タッチフリッキング（Ｔｏｕｃｈ  Ｆｌｉｃｋｉｎｇ）、すなわち、タッチドラッグ後タッチアウトするタッチイベントにページを切り替える機能を適用する。例えば、矢印６１に示すように、ユーザーは右側から左側へのタッチフリッキングを起こして、前記電子装置１００は次のページに切り替える。さらに、ユーザーは左側から右側へのタッチフリッキングを起こして、前記電子装置１００は以前のページに切り替える。
【００５７】
図６Ｂを参照すると、前記電子装置１００が丸く巻き込まれた形態での変形がある場合、前記電子装置１００は前記タッチフリッキングに画面の内容を繰り返し移動させる機能を適用する。例えば、矢印６１に示すように、ユーザーは丸く巻き込まれた前記電子装置１００のタッチスクリーンで前記右側から左側へのタッチフリッキングを起こして、変形された前記電子装置１００は画面の文字列（‘ＳＡＭＳＵＮＧ’）を右側から左側に繰り返し移動させる。さらに、前記電子装置１００が丸く巻き込まれた程度によって前記文句の移動速度を変えることができる。
【００５８】
結論としては、本発明の一実施形態による電子装置の多機能提供方法及び手続きは前記電子装置の変形によって既に構成したボタン及びタッチイベントに適用する機能を異にするので、ユーザーは前記電子装置の変形に相応しい魅力的な機能を経験することができる。
【００５９】
一方、本発明の詳細な説明では具体的な実施形態に関して説明したが、本発明の範囲から免脱しない限度内で様々な変形が可能である。したがって、本発明の範囲は説明された実施形態に限定されるものではなく、後述する特許請求の範囲だけではなく、この特許請求の範囲と均等なものなどによって決定されなければならない。
【符号の説明】
【００６０】
１００  電子装置
１１０  メモリー
１１１  オペレーティング・システムモジュール
１１２  通信モジュール
１１３  グラフィックモジュール
１１４  ユーザーインターフェースモジュール
１１５  ＣＯＤＥＣモジュール
１１６  カメラモジュール
１１７  アプリケーションモジュール
１２０  プロセッサユニット
１２１  メモリーインターフェース
１２２  プロセッサ
１２３  周辺装置インターフェース
１３０  第１無線通信サブシステム
１３１  第２無線通信サブシステム
１５０  オーディオサブシステム
１５１  スピーカー
１５２  マイクロホン
１６０  外部ポート
１７０  入出力サブシステム
１７１  フレキシブルディスプレー制御器
１７２  その他の入力制御器
１８０  フレキシブルディスプレー
１９０  その他の入力または制御装置
１９１  動きセンサー
１９２  光センサー
１９３  外形変形感知センサー
１９４  カメラサブシステム１９４
【図１】
2013225841.tif 000003
【図２】
2013225841.tif 000004
【図３】
2013225841.tif 000005
【図４Ａ】
2013225841.tif 000006
【図４Ｂ】
2013225841.tif 000007
【図４Ｃ】
2013225841.tif 000008
【図５Ａ】
2013225841.tif 000009
【図５Ｂ】
2013225841.tif 000010
【図６Ａ】
2013225841.tif 000011
【図６Ｂ】
2013225841.tif 000012